(57)【要約】【課題】シャワーホースが浴室の床面上に垂れて邪魔になることがなく、また掃除時には浴室の隅々まで届く掃除用シャワーとして使用できる浴室用シャワー装置を提供する。【解決手段】水栓のシャワー用給水部６ｃに接続したシャワーホース７の途中に、水栓より上方に設けた固定部材１０に着脱可能に掛止できるホース掛止部８を設け、このホース掛止部８を、固定部材１０への掛止状態で上下方向へ回動可能で、且つ内部に通水可能な構造として構成する。【選択図】図１
2008200222.tif 000002
【特許請求の範囲】
【請求項１】
水栓のシャワー用給水部に接続したシャワーホースの途中に、
前記水栓より上方に設けた固定部材に着脱可能に掛止できるホース掛止部を設け、
該ホース掛止部を、前記固定部材への掛止状態で上下方向へ回動可能で、且つ内部に通水可能な構造とした
ことを特徴とする浴室用シャワー装置。
【請求項２】
前記ホース掛止部にシャワーフックを設けたことを特徴とする請求項１に記載の浴室用シャワー装置。
【請求項３】
前記シャワーホースにおける前記シャワー用給水部から前記ホース掛止部までの部分を、収納ケース内に取出し可能に収納させたことを特徴とする請求項１に記載の浴室用シャワー装置。
【請求項４】
前記収納ケースの側面にシャワーホース取出し用の開口を設けるとともに、該収納ケースの前面にシャワーフックを設けたことを特徴とする請求項３に記載の浴室用シャワー装置。
【請求項５】
前記収納ケースの前面に開閉可能な扉部を設け、該扉部を開けてシャワーホースを前方側へ取出し可能にしたことを特徴とする請求項３に記載の浴室用シャワー装置。
【請求項６】
前記収納ケースを、浴槽のフランジ部またはカウンターから立ち上がる円筒状に形成し、その側面にシャワーホース取出し用の縦長開口を設けたことを特徴とする請求項３に記載の浴室用シャワー装置。
【発明の詳細な説明】
【技術分野】
【０００１】
本発明は、浴室内に設けられるシャワー装置に関するものである。
【背景技術】
【０００２】
従来、洗い場側に設けられた水栓にシャワーホースが接続されているシャワー装置において、浴室壁面の下部部位に設けられたシャワーフックにシャワー装置のシャワーヘッドを掛止して使用する場合、シャワーホースが垂れ下がって洗面器と干渉したり、シャワーホースが洗い場の床面に当たる反動でシャワーヘッドがシャワーフックから外れたりするという問題点が生じていた。このような問題を解決するためには、シャワーホースの取出口を浴室壁面の上方に設けることで解消できるが、この場合は、壁裏から配管を取り出すために施工が煩雑となるという問題点があった。
なお、壁裏に配管を設ける必要がなく、シャワーホースが浴室の床面上に垂れ下がって邪魔になることもないシャワー装置として、従来、特許文献１に開示されているように、シャワーホースの途中に延長用ホースの接続部を直線状に接続し、この接続部をシャワーフックに掛止できるように構成したものが存在する。
【特許文献１】実用新案登録第３０７９３９７号公報
【発明の開示】
【発明が解決しようとする課題】
【０００３】
上記特許文献１に開示されているシャワー装置の構造は、シャワーフックから浄水器本体が脱落したり、不安定な状態にならないように固定するためのものであり、下部部位に設けられたシャワーフックにシャワー装置のシャワーヘッドを掛止して使用する場合、シャワーホースが垂れ下がって洗面器と干渉したり、シャワーホースが床に当たる反動でシャワーヘッドがシャワーフックから外れたりするのを防止するためのものではなく、また、浴室全体の清掃用に使用できるものではなかった。
【課題を解決するための手段】
【０００４】
本発明は上記従来の問題点に鑑み案出したものであって、シャワーホースが浴室の床面上に垂れ下がって邪魔になることもなく、良好に使用することができ、また、清掃時にはシャワーホースが浴室の隅々まで届き、清掃用に使用することのできるシャワー装置を提供するものであり、その請求項１は、水栓のシャワー用給水部に接続したシャワーホースの途中に、前記水栓より上方に設けた固定部材に着脱可能に掛止できるホース掛止部を設け、該ホース掛止部を、前記固定部材への掛止状態で上下方向へ回動可能で、且つ内部に通水可能な構造としたことである。
【０００５】
また、請求項２は、前記ホース掛止部にシャワーフックを設けたことである。
【０００６】
また、請求項３は、前記シャワーホースにおける前記シャワー用給水部から前記ホース掛止部までの部分を収納ケース内に取出し可能に収納させたことである。
【０００７】
また、請求項４は、前記収納ケースの側面にシャワーホース取出し用の開口を設けるとともに、該収納ケースの前面にシャワーフックを設けたことである。
【０００８】
また、請求項５は、前記収納ケースの前面に開閉可能な扉部を設け、該扉部を開けてシャワーホースを前方側へ取出し可能にしたことである。
【０００９】
また、請求項６は、前記収納ケースを、浴槽のフランジ部またはカウンターから立ち上がる円筒状に形成し、その側面にシャワーホース取出し用の縦長開口を設けたことである。
【発明の効果】
【００１０】
本発明の浴室用シャワー装置は、水栓のシャワー用給水部に接続したシャワーホースの途中に、前記水栓より上方に設けた固定部材に着脱可能に掛止できるホース掛止部を設け、該ホース掛止部を、前記固定部材への掛止状態で上下方向へ回動可能で、且つ内部に通水可能な構造としたことにより、シャワーホースの途中のホース掛止部が固定部材に掛止されている場合、浴室の壁面の上部部位からシャワーホースが取り出されているのと同じ状態となり、浴室の壁面の下方側に設けたシャワーフックにシャワーヘッドを固定して使用する場合にも、シャワーホースが浴室の床面に当たることがなく、良好にシャワー装置を使用できるものとなる。
また、掃除をする場合等においては、固定部材からホース掛止部を取り外して長い１本のシャワーホースとして使用でき、通常のシャワーホースでは届かない浴室の隅々まで良好に掃除することができるものとなる。
【００１１】
また、前記ホース掛止部にシャワーフックを設けたことにより、シャワーホース掛止部を、浴室壁面の上方側に設けられている既存のシャワーフックに掛止し、ホース掛止部に設けられているシャワーフックにシャワーホースの先端のシャワーヘッドを掛止して使用することができ、別途浴室壁面に固定部材を設けなくても良く、既存のシャワーフックを固定部材として使用することができるものとなる。
【００１２】
また、前記シャワーホースにおける前記シャワー用給水部から前記ホース掛止部までの部分を収納ケース内に取出し可能に収納させたことにより、シャワーホースの立ち上がり部分を収納ケース内に収納させて、すっきりとした設置状態を得ることができ、清掃時等には収納ケースからシャワーホースの立ち上がり部分を取り出して、長い１本のシャワーホースとして使用することができるものとなる。
【００１３】
また、前記収納ケースの側面にシャワーホース取出し用の開口を設けるとともに、該収納ケースの前面にシャワーフックを設けたことにより、通常はシャワーホースの立ち上がり部分を収納ケース内に見栄え良く収納させておくことができ、清掃時等には収納ケースの側面側の開口からシャワーホースの立ち上がり部分を取り出して、長い１本のシャワーホースとして使用することができ、また、収納ケースに収納させた状態で収納ケースの前面側のシャワーフックにシャワーヘッドを掛止して良好に使用できるものとなる。
【００１４】
また、前記収納ケースの前面に開閉可能な扉部を設け、該扉部を開けてシャワーホースを前方側へ取出し可能にしたことにより、通常は収納ケース内にシャワーホースの立ち上がり部をすっきりとした状態で収納させておくことができ、掃除等の際には扉を開けて前方側へシャワーホースの立ち上がり部を取り出して、１本の長いシャワーホースとして使用することができるものとなる。
【００１５】
また、前記収納ケースを、浴槽のフランジ部またはカウンターから立ち上がる円筒状に形成し、その側面にシャワーホース取出し用の縦長開口を設けたことにより、円筒状に形成した収納ケースは、通常は浴槽内への出入り時に手摺りとして使用することができ、また、この円筒状の収納ケース内にシャワーホースの立ち上がり部をすっきりとした状態で収納させておくことができ、掃除の時等には、縦長開口からシャワーホースの立ち上がり部を取り出して、１本の長いシャワーホースとして良好に使用することができるものとなる。
【実施例】
【００１６】
以下、本発明の実施例を図面に基づいて説明する。
図１〜図６は第１実施例を示すものであり、図１に示す浴室１には浴槽２が設けられ、洗い場３側の浴室壁面４には、洗い場３側へ突出状にカウンター５が設けられており、浴室壁面４には鏡１５０が設置されている。
また、カウンター５内には、図示しない水栓本体が隠蔽状に設けられており、水栓本体を操作するための温調ハンドル６ａとシャワー，吐水，流量切替用ハンドル６ｂがカウンター５上に突出され、また、水栓本体に接続されたシャワー用給水部６ｃがカウンター５から立ち上げられており、このシャワー用給水部６ｃにシャワーホース７の下端が接続されている。
【００１７】
本例のシャワーホース７は、立上配管部７ａと延長配管部７ｂがそれぞれ約１ｍ程度の長さに設定され、立上配管部７ａと延長配管部７ｂの途中には、両者を連通状に連結するクランク型のホース掛止部８が設けられており、シャワーホース７の全長は約２ｍ程度に設定されている。また、延長配管部７ｂの先端にはシャワーヘッド９が設けられている。
このシャワーヘッド９は、鏡１５０の左側の浴室壁面４に固定されている上部の上シャワーフック１１ａ、あるいは下部の下シャワーフック１１ｂに掛止して使用できるものである。
【００１８】
本例では、浴室壁面４の上方部位に、別の固定部材１０が固設されており、この固定部材１０にシャワーホース７のホース掛止部８を掛止できるように構成されている。
固定部材１０とホース掛止部８の拡大分解斜視図を図２に示し説明すると、固定部材１０は、通常のシャワーフックと同様な形状に形成されており、上方へラッパ状に開口された掛止縦孔１０ａが上下に貫通形成されており、その前面にはシャワーホース７を前面側から通すことのできるスリット孔１０ｂが形成されている。
前記クランク型のホース掛止部８は、立上配管部７ａの上端に接続された逆円錐形状の円錐掛止部８１と、固定側エルボ８２と、回動側エルボ８３と、この回動側エルボ８３に延長配管部７ｂを接続する連結リング８４で構成されており、固定側エルボ８２に対し回動側エルボ８３が図３に示すように、上下方向に回動可能に連結されている。
なお、このホース掛止部８内は通水可能な構造となっており、立上配管部７ａからの水を延長配管部７ｂに通水できるものである。
【００１９】
図４は、このホース掛止部８の構成部材の分解斜視図を示す。
図４に示すように、円錐掛止部８１の上端側内周には雌ネジ８１ａが形成されており、固定側エルボ８２の先端には雌ネジ８１ａに螺合される雄ネジ部８２ａが垂設され、固定側エルボ８２の他端側は挿着部８２ｂとなっている。回動側エルボ８３には、この挿着部８２ｂ内に螺合状に差し込まれる挿入ネジ部８３ａが備えられており、挿入ネジ部８３ａの外周にはオーリングＯが外嵌されて、固定側エルボ８２と回動側エルボ８３間を回動可能に止水できるように構成されている。また、回動側エルボ８３の他端側外周には雄ネジ部８３ｂが形成されており、この雄ネジ部８３ｂに、延長配管部７ｂの先端に設けられた連結リング８４を螺合させて、回動側エルボ８３に延長配管部７ｂを連結できるように構成されている。
【００２０】
このような構造において、通常は図１に示すように、ホース掛止部８の円錐掛止部８１を固定部材１０の掛止縦孔１０ａ内に掛止して、立上配管部７ａを壁面４に沿って立ち上げておき、この状態でシャワーヘッド９を上シャワーフック１１ａ、あるいは下シャワーフック１１ｂの何れかに掛止させて使用することができるものであり、下シャワーフック１１ｂにシャワーヘッド９を掛止して使用する際にも、延長配管部７ｂが洗い場３床面に垂れ下がって当接することがなく、良好な使用状態が得られるものである。
【００２１】
なお、浴室１内を清掃する際等には、図５のように、ホース掛止部８を固定部材１０から取り外すことにより、立上配管部７ａと延長配管部７ｂが連続する１本の２ｍ程度の長いシャワーホース７となり、隅々までシャワーヘッド９を到達させることができて、シャワーヘッド９からのシャワー水で良好に浴室１の隅々まで掃除できるものとなる。
【００２２】
なお、シャワーヘッド９の先端を、図６に示すように、別途用意されているブラシヘッド１２に差し替えることにより、このブラシヘッド１２のブラシを水流で回転させて良好に洗い場３等を隅々まで清掃できるものとなる。
【００２３】
なお、図７は変更例を示すものであり、図７では、固定部材１０１を、壁面４に固定される板状の固定板部１０１ａと、この固定板部１０１ａから洗い場３側へ水平に突出する突出片１０１ｂと、突出片１０１ｂの先端で上方へ立ち上がる立上片１０１ｃで構成したものである。
また、ホース掛止部８には、円錐掛止部８１と回動側エルボ８３をつなぐ固定側通水部８５が設けられており、この固定側通水部８５には上方へ突出する板状の立上板８６が一体形成されており、立上板８６には、前記固定部材１０１の立上片１０１ｃに掛止できる掛止孔８６ａが形成されている。なお、この固定側通水部８５に対し回動側エルボ８３は上下方向に回動可能である。
このような構成を採用する場合でも、通常は固定部材１０１に掛止孔８６ａを介してホース掛止部８を掛止状態にさせておき、延長配管部７ｂが洗い場３床面に垂れ下がって当接するのを良好に防いだ状態でシャワー装置を使用することができ、また掃除する際等には、固定部材１０１からホース掛止部８を取り外して長い１本のシャワーホース７として使用することができるものである。
【００２４】
次に、図８に示すものは第２実施例であり、図８では、ホース掛止部８を構成する固定側エルボ８２の前面に、水平に突出してシャワーフック１３を設けたものであり、このシャワーフック１３は通常のシャワーフックと同様な形状に形成されており、シャワーヘッド９を上方側から差し込み状に掛止できる掛止縦孔１３ａが形成されている。
また、図８では、円錐掛止部８１の外周に、係止縦溝８１ｂを有するゴム等の部材が嵌め込まれており、円錐掛止部８１を上シャワーフック１１ａへ掛止した状態における水平面内での回転を規制できるように構成されている。
【００２５】
この図８のようなホース掛止部８を用いる場合には、図１および図５で示した固定部材１０は不要となり、既存の上シャワーフック１１ａに円錐掛止部８１を掛止して、上シャワーフック１１ａにホース掛止部８を固定させることができ、この状態で、ホース掛止部８のシャワーフック１３にシャワーヘッド９を掛止して使用することができるものである。
即ち、固定部材１０を壁面４に別途設置する必要がないため施工が容易であり、ホース掛止部８を上シャワーフック１１ａに掛止させた状態で、シャワーヘッド９はシャワーフック１３あるいは下シャワーフック１１ｂの何れかに掛止して使用できるものであり、下シャワーフック１１ｂにシャワーヘッド９を掛止して使用する場合にも、延長配管部７ｂは洗い場３に垂れ下がって当接するようなことはなく、良好な使用状態が得られるものである。
なお、掃除等に使用する場合には、上シャワーフック１１ａから円錐掛止部８１を取り外して長い１本のシャワーホース７として使用でき、長いシャワーホース７で隅々まで良好に掃除できるものである。
なお、図８では、円錐掛止部８１に回り止め用の係止縦溝８１ｂを設けたものを例示しているが、この円錐掛止部８１が掛止される上シャワーフック１１ａにも、係止縦溝８１ｂが係合する縦溝を形成させておけば、より確実な回転止めが行えるものである。
【００２６】
次に、図９はホース掛止部８の変更例を示すものであり、図９では、クランク型からＵ字型に変更したものであり、ホース掛止部８を構成する固定側エルボ８２と回動側エルボ８３の連結状態ではＵ字状をなし、固定側エルボ８２に対し回動側エルボ８３を上下方向に回動できるものである。
【００２７】
次に、図１０〜図１２は第３実施例を示すものであり、図１０では、浴室の壁面４にミラーキャビネット１５が設置されており、このミラーキャビネット１５は、前面に鏡１５０が設けられ、左側に一体状に収納ケース１６が設けられたものであり、この収納ケースは、図１１に水平拡大断面で示すように、前面１６ａと背面１６ｂの右端側が奥側面１６ｃで連結されており、左側面には開放された側面開口Ｋが形成されている。
奥側面１６ｃの上部部位には、側面開口Ｋ側へ突出して突出片１０２ａが形成されており、突出片１０２ａの先端には二股状に湾曲した掛止縦孔片１０２ｂが一体形成され、掛止縦孔片１０２ｂの先端には、ラッパ状に開いたガイド片１０２ｃが形成されている。この掛止縦孔片１０２ｂとガイド片１０２ｃで固定部材１０２が構成されており、側面開口Ｋ側から、シャワーホース７のホース掛止部８の固定側エルボ８２を、ガイド片１０２ｃに沿って掛止縦孔片１０２ｂ内へ押し込んで掛止できるものであり、逆に、側面開口Ｋから左側方へ引き出すことで、ホース掛止部８を固定部材１０２から容易に取り外すことができるように構成されたものである。
【００２８】
この収納ケース１６の前面１６ａには、上部と下部にそれぞれ上シャワーフック１１ａと下シャワーフック１１ｂが設けられている。
通常は、図１０に示すように、収納ケース１６の固定部材１０２にホース掛止部８を掛止させておき、その状態で、シャワーヘッド９を上シャワーフック１１ａあるいは下シャワーフック１１ｂの何れかに掛止して使用することができ、下シャワーフック１１ｂにシャワーヘッド９を掛止した場合にも、延長配管部７ｂが洗い場３床面に垂れ下がって当接するようなことがなく、良好な使用状態が得られるものである。
また、掃除に使用する際には、図１２のように、側面開口Ｋからホース掛止部８を左側方へ取り外して、収納ケース１６から立上配管部７ａを外側へ引き出し、長い１本のシャワーホース７として使用でき、長いシャワーホース７で隅々まで良好に掃除できるものである。
【００２９】
次に、図１３〜図１５に示すものは第４実施例であり、本例では、図１４に示すように、壁面４に設けられたミラーキャビネット１５には、収納ケース１６が設けられており、この収納ケース１６は、図１５のように、前面側に開閉可能に扉部１７が備えられたものである。
収納ケース１６内の上部部位には、固定部材１０が固設されており、収納ケース１６内にはシャワーホースの立上配管部７ａを立ち上げ状に収納することができるものである。立上配管部７ａの下端は、カウンター５内に隠蔽状に設けられている水栓のシャワー用給水部６ｃに接続される給水部連結リング１９となっており、立上配管部７ａの上端にはホース掛止部８が設けられて延長配管部７ｂが連結されている。
【００３０】
本例のホース掛止部８は、図１３の分解斜視図で示すように、固定側エルボ８２の挿着部８２ｂの外周に外側へ突出した鍔部８２ｃが一体形成されたものであり、その他の構成は前記図４のものと同様であり、クランク状にホース掛止部８が形成されている。
通常では、ホース掛止部８を収納ケース１６内の固定部材１０に掛止させておき、その状態で扉部１７を閉めることで、立上配管部７ａが隠蔽されてすっきりとした設置状態が得られるものであり、この時に、扉部１７の上端に凹み状に形成されている凹部１７ａ内に、固定側エルボ８２を嵌め込んで鍔部８２ｃを扉部１７の前面側に配置させておき、その状態で上面蓋部材１８の下端の凹部１８ａを固定側エルボ８２に被せて図１４のように設置することができ、扉部１７から回動側エルボ８３および延長配管部７ｂが露出した状態となり、回動側エルボ８３を良好に上下方向に回動させることができて、シャワーヘッド９は上シャワーフック１１ａあるいは下シャワーフック１１ｂの何れかに掛止して使用することができ、下シャワーフック１１ｂにシャワーヘッド９を掛止して使用する場合でも、延長配管部７ｂが洗い場３床面に垂れ下がり当接することはなく、使用状態が良好なものとなる。
なお、掃除する際等には、図１５に示すように、上面蓋部材１８を取り外し、扉部１７を開けて、シャワーホース７の立上配管部７ａを収納ケース１６の前面側へ引き出して、立上配管部７ａと延長配管部７ｂを１本の長いシャワーホース７として使用することができ、浴室の隅々まで良好に掃除できるものとなる。
【００３１】
次に、図１６〜図１９には第５実施例を示す。
図１６に示すように、浴槽２の上端のフランジ部２ａにおけるカウンター５側には、円筒状の握りバー２０が立設されており、握りバー２０の上端は、壁面４に突出状に固定された固定部材１０に連結されている。
また、握りバー２０の下端と浴槽のフランジ部２ａ上面は、化粧鍔２０ｂで覆蓋されてすっきりとした設置状態が得られている。この化粧鍔２０ｂの内側では、立上配管部７ａの下端の給水部連結リング１９が水栓のシャワー用給水部６ｃに連結されるものであり、この給水部連結リング１９を含めた立上配管部７ａがすっぽりと収納されるような内径に握りバー２０は形成されており、その側面には、立上配管部７ａを外側へ取り出し可能に縦方向に長い縦長開口２０ａが形成されている。
なお、図１８は、握りバー２０の水平断面構成図である。
【００３２】
なお、握りバー２０の上端を固定する固定部材１０には、縦方向に掛止縦孔１０ａが形成されており、その前面にはスリット孔１０ｂが形成されている。
従って、握りバー２０内の収納空間Ｓ内に立上配管部７ａを収納させて、ホース掛止部８の固定側エルボ８２および円錐掛止部８１を固定部材１０の掛止縦孔１０ａ内に掛止させて、図１７のように回動側エルボ８３のみが突出するように掛止固定することができ、固定部材１０にホース掛止部８を掛止した状態で、回動側エルボ８３は良好に上下方向に回動できるために、シャワーヘッド９は図１６のように上シャワーフック１１ａあるいは下シャワーフック１１ｂの何れかに掛止して使用することができ、下シャワーフック１１ｂにシャワーヘッド９を掛止して使用する場合にも、延長配管部７ｂは洗い場３の床面に当接することはなく良好な使用状態が得られるものとなる。
なお、この握りバー２０は、浴槽２内へ出入りする際に、身体を良好に支えることができるものであり、このような握りバー２０を利用して、その内部にすっきりとした状態でシャワーホース７の立上配管部７ａを収納させておくことができ、掃除をする際には、固定部材１０からホース掛止部８を取り外して、縦長開口２０ａから立上配管部７ａを引き出し、立上配管部７ａと延長配管部７ｂを１本の長いシャワーホース７として使用することができ、浴室の隅々まで良好に掃除できるものとなる。
【図面の簡単な説明】
【００３３】
【図１】第１実施例の浴室の斜視構成図である。
【図２】図１における固定部材とシャワーホースのホース掛止部の拡大分解斜視図である。
【図３】回動側エルボを上方側へ回動させた状態のホース掛止部の斜視構成図である。
【図４】ホース掛止部の構成部材の分解斜視図である。
【図５】ホース掛止部を固定部材から取り外して長い１本のシャワーホースとして使用する状態の斜視構成図である。
【図６】掃除する際にシャワーヘッドと交換できるブラシヘッドの拡大構成図である。
【図７】固定部材とホース掛止部の変更例を示す分解斜視図である。
【図８】第２実施例のホース掛止部の拡大斜視構成図である。
【図９】ホース掛止部をＵ字状に構成した場合の斜視構成図である。
【図１０】収納ケース内にシャワーホースの立上配管部を収納させた第３実施例の浴室の斜視構成図である。
【図１１】図１０における収納ケースの上部部位の水平断面拡大構成図である。
【図１２】収納ケースの側面開口からシャワーホースの立上配管部を引き出す際の拡大斜視構成図である。
【図１３】第４実施例のホース掛止部の構成部材の分解斜視図である。
【図１４】第４実施例の浴室の斜視構成図である。
【図１５】第４実施例の収納ケースの扉部を開けてシャワーホースの立上配管部を引き出す際の要部斜視構成図である。
【図１６】第５実施例の浴室の斜視構成図である。
【図１７】握りバーの上端の固定部材にシャワーホースのホース掛止部を掛止した状態の要部拡大斜視図である。
【図１８】握りバーを水平方向に切断した拡大断面構成図である。
【図１９】握りバーの縦長開口からシャワーホースの立上配管部を引き出した状態の斜視構成図である。
【符号の説明】
【００３４】
１  浴室
２  浴槽
２ａ  フランジ部
３  洗い場
４  壁面
５  カウンター
６ａ  温度調節ハンドル
６ｂ  シャワー，吐水，流量切替ハンドル
６ｃ  シャワー用給水部
７  シャワーホース
７ａ  立上配管部
７ｂ  延長配管部
８  ホース掛止部
９  シャワーヘッド
１０  固定部材
１０ａ  掛止縦孔
１０ｂ  スリット孔
１１ａ  上シャワーフック
１１ｂ  下シャワーフック
１２  ブラシヘッド
１３  シャワーフック
１３ａ  掛止縦孔
１５  ミラーキャビネット
１６  収納ケース
１６ａ  前面
１７  扉部
１７ａ  凹部
１８  上面蓋部材
１９  給水部連結リング
２０  握りバー
２０ａ  縦長開口
２０ｂ  化粧鍔
８１  円錐掛止部
８１ａ  雌ネジ
８１ｂ  係止縦溝
８２  固定側エルボ
８２ａ  雄ネジ部
８２ｂ  挿着部
８２ｃ  鍔部
８３  回動側エルボ
８３ａ  挿入ネジ部
８３ｂ  雄ネジ部
８４  連結リング
８５  固定側通水部
８６  立上板
８６ａ  掛止孔
１０１  固定部材
１０１ａ  固定板部
１０１ｃ  立上片
１０２  固定部材
１０２ａ  突出片
１０２ｂ  掛止縦孔片
１０２ｃ  ガイド片
Ｋ  側面開口
Ｓ  収納空間
【図１】
2008200222.tif 000003
【図２】
2008200222.tif 000004
【図３】
2008200222.tif 000005
【図４】
2008200222.tif 000006
【図５】
2008200222.tif 000007
【図６】
2008200222.tif 000008
【図７】
2008200222.tif 000009
【図８】
2008200222.tif 000010
【図９】
2008200222.tif 000011
【図１０】
2008200222.tif 000012
【図１１】
2008200222.tif 000013
【図１２】
2008200222.tif 000014
【図１３】
2008200222.tif 000015
【図１４】
2008200222.tif 000016
【図１５】
2008200222.tif 000017
【図１６】
2008200222.tif 000018
【図１７】
2008200222.tif 000019
【図１８】
2008200222.tif 000020
【図１９】
2008200222.tif 000021